(57)【要約】【課題】  点滴用液量センサの検出精度を向上させる。【解決手段】  点滴用固定具２０は、支柱１に懸架された点滴用液袋３に接続されたドリップチャンバ５に着脱可能に取り付けられる第１固定部２２と、支柱１に着脱可能に取り付けられる第２固定部２３とを備える。ドリップチャンバ５を支柱１に対して固定して、ドリップチャンバ５の動きを規制し、ドリップチャンバ５が斜めに傾いたり、ドリップチャンバ５内に貯まる液の液面が波打ったりするのを防止して、ドリップチャンバ５に装着された点滴用液量センサ８が誤検出するのを防止する。【選択図】        図１
2007159622.tif 000002
【特許請求の範囲】
【請求項１】
支柱に懸架された点滴用液袋に接続されたドリップチャンバに着脱可能に取り付けられる第１固定手段と、
前記支柱に着脱可能に取り付けられる第２固定手段とを備えた、点滴用固定具。
【請求項２】
支柱に懸架された点滴用液袋に接続されたドリップチャンバに装着された液量センサに着脱可能に取り付けられる第１固定手段と、
前記支柱に着脱可能に取り付けられる第２固定手段とを備えた、点滴用固定具。
【請求項３】
支柱に懸架された点滴用液袋に接続されたドリップチャンバを通過する液量を計測するための点滴用液量センサであって、
前記ドリップチャンバに着脱可能に取り付けられる第１固定手段と、
前記支柱に着脱可能に取り付けられる第２固定手段とを有する、点滴用液量センサ。
【請求項４】
移動可能な台車に立設され、ドリップチャンバが接続された点滴用液袋を懸架するための点滴用支柱であって、
前記ドリップチャンバまたは前記ドリップチャンバに装着された液量センサを着脱可能に保持する保持手段を有する、点滴用支柱。
【発明の詳細な説明】
【技術分野】
【０００１】
この発明は、患者に点滴を投与する際に用いられる点滴用固定具、点滴用液量センサおよび点滴用支柱に関する。
【背景技術】
【０００２】
従来、患者に投薬等する際に点滴投与装置が用いられる。図９は従来の点滴投与装置を示す図である。従来の点滴投与装置２００は、移動可能な台車１０と、台車１０に立設された支柱１と、支柱１の上端に設けられた懸架部２と、懸架部２に懸架された点滴用液袋３と、点滴用液袋３に接続チューブ４で接続されたドリップチャンバ５と、注射針７と、ドリップチャンバ５を通過した液を注射針７に搬送するためのチューブ６と、ドリップチャンバ内を点滴用液袋３からの液が通過する液量を計測する点滴用液量センサ８と、注射速度を調整するポンプ９とを備えている。この点滴投与装置２００によれば、点滴用液量センサ８でドリップチャンバ内を通過する液量を計測して、ポンプ９で注射速度が一定となるように流量が制御される。
【０００３】
しかしながら、点滴を投与中に点滴投与装置２００を移動させたり、点滴投与装置２００が外部から振動を受けたりすると、点滴用液量センサ８が注射速度を誤検出することがある。点滴を投与中に点滴投与装置２００を移動させたり、点滴投与装置２００が外部から振動を受けたりすると、点滴用液袋３が懸架される位置を支点として振り子運動する。ドリップチャンバ５は、上端で点滴用液袋に接続チューブ４で接続されており、下端にチューブ６が接続されているので、上下左右に揺れる。このため、ドリップチャンバ５が斜めに傾いたり、滴下する前の滴が振動したり、ドリップチャンバ５内に溜まる液の液面が波打ったりする。
【０００４】
図１０は、点滴用液量センサ８による誤検出を説明するための図である。図１０（Ａ）は、ドリップチャンバ５が斜めに傾いた状態を示している。点滴用液量センサ８は、発光部５１Ａと受光部５１Ｂとがドリップチャンバ５を挟んで対向して配置されており、発光部５１Ａから発せられる光が落下する点滴５０により遮断される際の受光量の変化を受光部５１Ｂで検出して、点滴の落下を検出する。ドリップチャンバ５が斜めに傾いた状態では、点滴５０がドリップチャンバ５の壁面を伝って流れるので、受光部５１Ｂが受光量の変化を検出することができない。図１０（Ｂ）は、滴下直前の点滴が振動する状態を示す図である。点滴５０が滴下する前に水平方向に振動すると、受光部５１Ｂで受光量の変化が数回検出されてしまう。図１０（Ｃ）は、ドリップチャンバ５内に溜まる液の液面が波打った状態を示す図である。ドリップチャンバ５内に溜まる液の液面が波打つと、液の一部が発光部５１Ａと受光部５１Ｂとの間を通過するため、受光部５１Ｂで受光量の変化が検出されてしまう。また、溜まる液の液面が波打つと、ドリップチャンバ５内に溜まる液に空気が混入して、チューブ６に空気が混入する場合がある。
【０００５】
点滴用液量センサ８による誤検出に対応した点滴量制御装置が特開平８−１９１８９１号公報（特許文献１）に記載されている。特開平８−１９１８９１号公報に記載の点滴量制御装置は、点滴筒の揺れを検知する振動センサと、該振動センサにより揺れが検知された場合には、当該揺れ検知の直前の送液量が得られるように輸液注入用ポンプを制御するものである。しかしながら、特開平８−１９１８９１号公報に記載の点滴量制御装置は、振動センサを備えなければならず、製品コストが上昇する。また、振動している間に、ドリップチャンバ内に溜まる液中に空気が混入してしまう場合がある。さらに、振動している間は、送液量を検知しないので、振動が長時間継続する場合に実際の送液量が変化するのに対応することができないといった問題があった。
【特許文献１】特開平８−１９１８９１号公報
【発明の開示】
【発明が解決しようとする課題】
【０００６】
この発明は上述した問題点を解決するためになされたもので、この発明の目的の１つは、点滴液中に空気が混入するのを防止した点滴用固定具、点滴用液量センサおよび点滴用支柱を提供することである。
【０００７】
この発明の他の目的は、検出精度を向上させた点滴用液量センサを提供することである。
【０００８】
この発明のさらに他の目的は、点滴用液量センサの検出精度を向上させることが可能な点滴用固定具または点滴用支柱を提供することである。
【課題を解決するための手段】
【０００９】
上述した目的を達成するためにこの発明のある局面によれば、点滴用固定具は、支柱に懸架された点滴用液袋に接続されたドリップチャンバに着脱可能に取り付けられる第１固定手段と、支柱に着脱可能に取り付けられる第２固定手段とを備える。
【００１０】
この局面に従えば、第１固定手段がドリップチャンバに取り付けられ、第２固定手段が支柱に取り付けられると、ドリップチャンバが支柱に対して固定される。ドリップチャンバが支柱に対して固定されるので、ドリップチャンバの動きが規制される。このため、ドリップチャンバが揺れてドリップチャンバ内に溜まる液の液面が波打って揺れるのを防止することができる。その結果、点滴液中に空気が混入するのを防止した点滴用固定具を提供することができる。
【００１１】
この発明の他の局面によれば、点滴用固定具は、支柱に懸架された点滴用液袋に接続されたドリップチャンバに装着された液量センサに着脱可能に取り付けられる第１固定手段と、支柱に着脱可能に取り付けられる第２固定手段とを備える。
【００１２】
この局面に従えば、第１固定手段がドリップチャンバに装着された液量センサに取り付けられ、第２固定手段が支柱に取り付けられると、ドリップチャンバが支柱に固定される。ドリップチャンバが支柱に対して固定されるので、ドリップチャンバの動きが規制される。このため、ドリップチャンバが揺れることにより、ドリップチャンバが斜めに傾いたり、ドリップチャンバ内に溜まる液の液面が波打ったりするのを防止することができる。その結果、点滴用液量センサの検出精度を向上させることが可能な点滴用固定具を提供することができる。また、点滴液中に空気が混入するのを防止した点滴用固定具を提供することができる。
【００１３】
この発明のさらに他の局面によれば、点滴用液量センサは、支柱に懸架された点滴用液袋に接続されたドリップチャンバを通過する液量を計測するための点滴用液量センサであって、ドリップチャンバに着脱可能に取り付けられる第１固定手段と、支柱に着脱可能に取り付けられる第２固定手段とを有する。
【００１４】
この局面に従えば、第１固定手段がドリップチャンバに取り付けられ、第２固定手段が支柱に取り付けられると、ドリップチャンバが支柱に対して固定される。ドリップチャンバが支柱に対して固定されるので、ドリップチャンバの動きが規制される。このため、検出精度を向上させた点滴用液量センサを提供することができる。また、点滴液中に空気が混入するのを防止することが可能な点滴用液量センサを提供することができる。
【００１５】
この発明のさらに他の局面によれば、点滴用支柱は、移動可能な台車に立設され、ドリップチャンバが接続された点滴用液袋を懸架するための点滴用支柱であって、ドリップチャンバまたはドリップチャンバに装着された液量センサを着脱可能に保持する保持手段を有する。
【００１６】
この発明に従えば、保持手段がドリップチャンバまたはドリップチャンバに装着された液量センサを保持するので、ドリップチャンバが支柱に対して固定される。ドリップチャンバが支柱に対して固定されるので、ドリップチャンバの動きが規制される。このため、点滴用液量センサの検出精度を向上させることが可能な点滴用支柱を提供することができる。また、点滴液中に空気が混入するのを防止した点滴用支柱を提供することができる。
【発明を実施するための最良の形態】
【００１７】
以下、本発明の実施の形態について図面を参照して説明する。上述した従来の点滴投与装置２００と同一の部品には同一の符号を付してある。それらの名称および機能も同じである。したがってそれらについての詳細な説明は繰返さない。
【００１８】
＜第１の実施の形態＞
図１は、本発明の第１の実施の形態における点滴投与装置の一例を示す図である。図１を参照して、第１の実施の形態における点滴投与装置１００は、従来の点滴投与装置２００に加えて、固定具２０を含む。固定具２０は、ドリップチャンバ５を支柱１に対して固定する。
【００１９】
図２は、固定具２０の平面図である。図２（Ａ）は、開状態にある固定具２０を示し、図２（Ｂ）は、閉状態にある固定具２０を示す。図２（Ａ）および図２（Ｂ）を参照して、固定具２０は、本体部２１と、本体部２１の一端に固定された第１固定部２２と、本体部２１の第１固定部２２と反対側の他端に固定された第２固定部２３とを含む。第１固定部２２は、樹脂で形成されており、弾性を有し、開状態と閉状態とに形状を変化させる。第１固定部２２は、開状態において中心部２２Ａに図中右から左方向に力を受けると閉状態に形状を変化させる。このため、ドリップチャンバ５の側面を中心部２２Ａに押し当てるだけの容易な動作でドリップチャンバ５を第１固定部２２に保持させることができる。また、第１固定部２２は、閉状態において突起２２Ｂが図中左から右方向に力を受けると、開状態に形状を変化させる。第１固定部２２は、開閉自在であり、閉状態で固定具２０がドリップチャンバ５に取り付けられ、開状態で固定具２０がドリップチャンバ５から開放される。第１固定部２２は、ドリップチャンバ５の外周の一部と接触する保持面を有し、閉状態にあるときにドリップチャンバ５を滑らないように保持する。保持面には、弾性を有し摩擦係数の大きなゴム等の弾性部材を貼り付けるようにするとよい。保持面には、乾燥すると固体となる液体ゴムを塗布すれば製造が容易である。
【００２０】
第２固定部２３は、本体部２１に回転軸２４を中心に回転自在に連結されており、回転バネ２４Ａにより図中で反時計回りに付勢されている。第２固定部２３が回転バネ２４Ａの力に反して時計回りに外力を受けると、第２固定部２３が開状態となる。第２固定部２３が開状態にあるときに、本体部２１と第２固定部２３との間に支柱１が挿入され、外力が失われると、第２固定部２３が回転バネ２４Ａにより反時計回りに付勢されているので、本体部２１と第２固定部２３とが支柱１を挟持する。第２固定部２３は、開閉自在であり、閉状態で固定具２０が支柱１に取り付けられ、開状態で固定具２０が支柱１から開放される。本体部２１および第２固定部２３それぞれの支柱１と接する部分は、摩擦係数の大きな部材で構成されるのが好ましい。支柱１を滑らないように挟持するためである。ここでは、第２固定部２３の表面をゴムで覆うようにし、本体部２１の支柱１と接する面にゴムを貼り付けてある。
【００２１】
第１の実施の形態における点滴投与装置１００は、固定具２０を備えており、固定具２０の第１固定部２２により固定具２０がドリップチャンバ５に取り付けられ、第２固定部２３により固定具２０が支柱１に取り付けられると、ドリップチャンバ５が支柱１に対して固定される。点滴投与装置１００は、台車１０を備えるので、移動可能である。点滴投与装置１００が移動すると、振動で点滴用液袋３が懸架部２に懸架されている位置を支点にして振り子運動をするが、ドリップチャンバ５は支柱１に対して固定されているので、斜めに傾いたり、ドリップチャンバ５内に溜まる液の液面が波打ったり、滴下前の点滴が揺れたりするのを防止できる。このため、ドリップチャンバ５に溜まる液に空気が混入して、点滴液に空気が混入するのを防止することができる。また、点滴用液量センサ８が誤検出するのを防止することができる。
【００２２】
＜第２の実施の形態＞
第１の実施の形態における点滴投与装置１００は、固定具２０の第１固定部２２をドリップチャンバ５に取り付けられるようにしたものであった。第２の実施の形態における点滴投与装置１００は、固定具２０Ａを、ドリップチャンバ５に装着された点滴用液量センサ８に取り付けられるようにして、ドリップチャンバ５を支柱１に固定するようにしたものである。固定具２０Ａ以外の構成は、第１の実施の形態における点滴投与装置１００と同じなのでここでは説明を繰り返さない。
【００２３】
図３は、開状態にある固定具２０Ａを示す図である。図３（Ａ）は、平面図であり、図３（Ｂ）は側面図である。図４は、閉状態にある固定具２０Ａを示す図である。図４（Ａ）は平面図、図４（Ｂ）は側面図である。図３（Ａ）、図３（Ｂ）、図４（Ａ）および図４（Ｂ）を参照して、固定具２０Ａは、本体部２１Ａと、本体部２１Ａの一端に固定された一対のセンサ固定部２５，２５Ａと、本体部２１の第１固定部２２と反対側の他端に固定された第２固定部２３とを含む。センサ固定部２５は、本体部２１に回転軸２６を中心に回転自在に連結されている。センサ固定部２５は、回転バネ２６Ａにより図３（Ｂ）中で時計回りに付勢されている。センサ固定部２５が反時計回りに外力を受けると、センサ固定部２５が回転軸２６を中心に反時計回りに回転して、開状態となる。センサ固定部２５Ａは、一端が本体部２１Ａに固定されている。センサ固定部２５が開状態にあるときに、センサ固定部２５，２５Ａの間に点滴用液量センサ８が挿入され、センサ固定部２５に与えられた外力が失われると、センサ固定部２５が回転バネ２６Ａにより付勢されているので、センサ固定部２５，２５Ａが点滴用液量センサ８を挟持する。センサ固定部２５，２５Ａは、開閉自在であり、閉状態で固定具２０Ａが点滴用液量センサ８に取り付けられ、開状態で固定具２０Ａが点滴用液量センサ８から開放される。センサ固定部２５，２５Ａそれぞれの点滴用液量センサ８と接する部分は、摩擦係数の大きな部材で構成されるのが好ましい。点滴用液量センサ８を滑らないように挟持するためである。ここでは、センサ固定部２５，２５Ａの表面をゴムで覆うようにしている。
【００２４】
第２の実施の形態における点滴投与装置１００は、固定具２０Ａを備えており、固定具２０Ａのセンサ固定部２５，２５Ａにより、固定具２０Ａがドリップチャンバ５に装着された点滴用液量センサ８に取り付けられ、第２固定部２３により固定具２０Ａが支柱１に取り付けられると、ドリップチャンバ５が支柱１に対して固定される。このため、点滴投与装置１００が移動しても、ドリップチャンバ５は支柱１に対して固定されているので、ドリップチャンバ５が斜めに傾いたり、ドリップチャンバ５内に溜まる液の液面が波打ったり、ドリップチャンバ５中で滴下前の点滴が揺れたりするのを防止できる。その結果、ドリップチャンバ５に溜まる液に空気が混入して、点滴液に空気が混入するのを防止することができる。また、点滴用液量センサ８が誤検出するのを防止することができる。
【００２５】
＜第３の実施の形態＞
第３の実施の形態における点滴投与装置１００は、従来の点滴投与装置２００の点滴用液量センサ８に支柱１に固定するための機能を追加した点滴用液量センサ８Ａを用いたものである。その他の構成は従来の点滴投与装置２００と同じなのでここでは説明を繰り返さない。
【００２６】
図５は、第３の実施の形態における点滴投与装置１００の点滴用液量センサ８Ａの平面図である。図５を参照して、点滴用液量センサ８Ａは、本体部２９と、ドリップチャンバ５を固定するためのチャンバ固定部２７と、点滴用液量センサ８Ａの一端に固定された第２固定部２３とを含む。本体部２９は、ドリップチャンバ５の一部を収納するための切欠部２９Ａを有する。チャンバ固定部２７は、バネ２８により図中右から左方向に付勢される。このため、チャンバ固定部２７が図中で左から右方向に力を受けると開状態となり、点滴用液量センサ８Ａの切欠部２９Ａにドリップチャンバ５を挿入可能となる。切欠部２９Ａにドリップチャンバ５が挿入された状態で、チャンバ固定部２７が外力を受けなくなると、チャンバ固定部２７が、バネ２８により付勢されているので閉状態となり、ドリップチャンバ５を本体部２９の切欠部２９Ａに固定する。これにより、点適用液量センサ８Ａがドリップチャンバ５に装着される。チャンバ固定部２７は、開閉自在であり、閉状態で点滴用液量センサ８Ａがドリップチャンバ５に取り付けられ、開状態で点滴用液量センサ８Ａがドリップチャンバ５から開放される。また、第２固定部２３は、開閉自在であり、閉状態で点滴用液量センサ８Ａが支柱１に取り付けられ、開状態で点滴用液量センサ８Ａが支柱１から開放される。
【００２７】
第３の実施の形態における点滴投入装置１００は、チャンバ固定部２７により点滴用液量センサ８Ａがドリップチャンバ５に取り付けられ、第２固定部２３により点滴用液量センサ８Ａが支柱１に取り付けられると、ドリップチャンバ５が支柱１に対して固定される。このため、点滴投与装置１００が移動しても、ドリップチャンバ５は支柱１に対して固定されているので、ドリップチャンバ５が斜めに傾いたり、ドリップチャンバ５内に溜まる液の液面が波打ったり、ドリップチャンバ５中で滴下前の点滴が揺れたりするのを防止できる。その結果、点滴用液量センサ８が誤検出するのを防止することができる。また、ドリップチャンバ５に溜まる液に空気が混入して、点滴液に空気が混入するのを防止することができる。
【００２８】
＜第４の実施の形態＞
図６は、第４の実施の形態における点滴投与装置の全体構成を示す図である。図６を参照して、従来の点滴投与装置２００と異なる点は、支柱１にドリップチャンバ５を保持するための保持部１Ａを追加した点である。その他の構成は従来の点滴投与装置２００と同じなのでここでは説明を繰り返さない。
【００２９】
図７は、保持部１Ａの平面図である。図７を参照して、保持部１Ａは、本体部３１の一端に固定された第１固定部２２と、本体部３１の第１固定部２２の反対の他端に固定して接続された筒部３２とを含む。筒部３２は、支柱１が内部に通り、ねじ３３の締め付けにより、支柱１に取り付けられて位置が定められる。なお、第１固定部２２に代えて、センサ固定部２５，２５Ａを備えるようにし、点滴用液量センサ８に取り付けられるようにしてもよい。
【００３０】
第４の実施の形態における点滴投入装置１００は、支柱１の保持部１Ａがドリップチャンバ５に取り付けられると、ドリップチャンバ５が支柱１に対して固定される。このため、点滴投与装置１００が移動しても、ドリップチャンバ５は支柱１に対して固定されているので、ドリップチャンバ５が斜めに傾いたり、ドリップチャンバ５内に溜まる液の液面が波打ったり、ドリップチャンバ５中で滴下前の点滴が揺れたりするのを防止できる。その結果、ドリップチャンバ５に溜まる液に空気が混入して、点滴液に空気が混入するのを防止することができる。また、点滴用液量センサ８が誤検出するのを防止することができる。
【００３１】
なお、上述した実施の形態では、支柱１が台車１０に立設された例を説明したが、図８に示すように台車には、車輪４１を有する移動可能なベッド４０が含まれる。
【００３２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３３】
【図１】本発明の第１の実施の形態における点滴投与装置の一例を示す図である。
【図２】固定具の平面図である。
【図３】第２の実施の形態における開状態にある固定具を示す図である。
【図４】第２の実施の形態における閉状態にある固定具を示す図である。
【図５】第３の実施の形態における点滴投与装置の点滴用液量センサの平面図である。
【図６】第４の実施の形態における点滴投与装置の全体構成を示す図である。
【図７】保持部の平面図である。
【図８】台車の別の例を示す図である。
【図９】従来の点滴投与装置を示す図である。
【図１０】点滴用液量センサによる誤検出を説明するための図である。
【符号の説明】
【００３４】
１  支柱、１Ａ  保持部、２  懸架部、３  点滴用液袋、４  接続チューブ、５  ドリップチャンバ、６  チューブ、７  注射針、８，８Ａ  点滴用液量センサ、９  ポンプ、１０  台車、２０，２０Ａ  固定具、２１，２１Ａ  本体部、２２  第１固定部、２３  第２固定部、２４  回転軸、２４Ａ  回転バネ、２５，２５Ａ  センサ固定部、２６回転軸、２６Ａ  回転バネ、２７  チャンバ固定部、２８  バネ、２９  本体部、２９Ａ  切欠部、３１  本体部、３２  筒部、３３  ねじ、４０  ベッド、５１Ａ  発光部、５１Ａ  受光部。
【図１】
2007159622.tif 000003
【図２】
2007159622.tif 000004
【図３】
2007159622.tif 000005
【図４】
2007159622.tif 000006
【図５】
2007159622.tif 000007
【図６】
2007159622.tif 000008
【図７】
2007159622.tif 000009
【図８】
2007159622.tif 000010
【図９】
2007159622.tif 000011
【図１０】
2007159622.tif 000012